(57)【特許請求の範囲】
【請求項１】
記録材を積載可能な第１のトレイと、第１のトレイと水平に並列配置可能であって記録材を積載可能な第２のトレイと、第１のトレイに積載された記録材を送り出す給送手段と、第１及び第２のトレイの並列方向と交差する、第２のトレイの記録材幅方向に配置され、記録材の両縁部を案内する複数のサイドフェンスとを有する記録材送り出し装置において、
各サイドフェンスの少なくとも一部に、第２のトレイの積載面に向って低くなる操作部位を有し、この操作部位が、一方のサイドフェンスの、第１のトレイ側に位置する端部と、他方のサイドフェンスの、第１のトレイと反対側に位置する端部にそれぞれ形成された記録材送り出し装置。
【請求項２】
請求項１記載の記録材送り出し装置において、
前記操作部位が互いに対向するように各サイドフェンスに形成された記録材送り出し装置。
【請求項３】
記録材を積載可能な第１のトレイと、第１のトレイと水平に並列配置可能であって記録材を積載可能な第２のトレイと、第１のトレイに積載された記録材を送り出す給送手段と、第１及び第２のトレイの並列方向と交差する、第２のトレイの記録材幅方向に配置され、記録材の両縁部を案内する複数のサイドフェンスとを有する記録材送り出し装置において、
一方のサイドフェンスを、第２のトレイにおける第１のトレイ寄りの一端側に、この一端と反対側に位置する第２のトレイの他端側との間に間隔を持って配置し、他方のサイドフェンスを、第２のトレイの他端側に、前記一端側との間に間隔を持って配置した記録材送り出し装置。
【請求項４】
請求項１ないし３の何れか１つに記載の記録材送り出し装置において、
各サイドフェンスが同一形状である記録材送り出し装置。
【請求項５】
画像形成部で記録材に画像転写を行う画像形成装置において、
請求項１ないし４の何れか１つに記載の記録材送り出し装置を備え、前記記録材送り出し装置の給送手段を用いて第１のトレイに積層された記録材を前記画像形成部に送り出す画像形成装置。
【発明の詳細な説明】
【０００１】
【発明の属する技術分野】
本発明は、複写機、ファクシミリ、各種プリンタの単体、あるいはこれらの複合機等の画像形成装置や、これらに用いる記録材送り出し装置に関する。
【０００２】
【従来の技術】
画像形成装置に用いられる記録材送り出し装置には、記録材となるシート状の用紙を大量に収納可能なものがある。例えば、シート状の用紙を積載可能な第１及び第２のトレイを互いに並列配置し、第１のトレイに積載された用紙を給送手段で送り出し、第１のトレイの用紙がなくなると第１のトレイと第２のトレイの積載面が同一面となるようにその高さを揃えて、第２のトレイに積載された用紙を記録材移送手段で第１のトレイに補給するタンデム方式の記録材送り出し装置がある。このようなタンデム方式の記録材送り出し装置では、第２のトレイが、第１及び第２のトレイの並列方向と交差する記録材幅方向に、記録材の両縁部を案内するサイドフェンスをそれぞれ備えている。これらサイドフェンスは、積載される用紙の両縁部を案内するために積層方向に長さを有して立設されており、トレイの記録材幅方向を塞いでいる。
【０００３】
第１のトレイへの用紙の補給は第２のトレイから記録材移送手段によって機械的に行われ、第２のトレイへの用紙の補給は、サイドフェンスのない第１のトレイと第２のトレイとの間に形成される空間を利用して人為的に行われている。
【０００４】
【発明が解決しようとする課題】
従来の記録材送り出し装置の構成において、装置の小型化を図る場合、第１及び第２のトレイとの間の空間を狭めることが考えられるが、この空間を狭めてしまうと第２のトレイへの用紙の補給時に作業者の手が空間内に入らなくなって補給作業に支障をきたしてしまう。
【０００５】
本発明は、装置の小型化を図りながら良好に記録材の補給作業を行える記録材送り出し装置及び画像形成装置を提供することを目的とする。
【０００６】
【課題を解決するための手段】
請求項１記載の発明は、記録材を積載可能な第１のトレイと、第１のトレイと水平に並列配置可能であって記録材を積載可能な第２のトレイと、第１のトレイに積載された記録材を送り出す給送手段と、第１及び第２のトレイの並列方向と交差する、第２のトレイの記録材幅方向に配置され、記録材の両縁部を案内する複数のサイドフェンスとを有する記録材送り出し装置において、各サイドフェンスの少なくとも一部に、第２のトレイの積載面に向って低くなる操作部位を設けたことを特徴としている。第２のトレイの記録材幅方向に配置されたサイドフェンスに、第２のトレイの積載面に向って低くなる操作部位を設けると、記録材幅方向に作業空間が形成されるので、第１のトレイと第２のトレイの間隔を狭められる。また、操作部位を、一方のサイドフェンスの第１のトレイ側に位置する端部と、他方のサイドフェンスの第１のトレイと反対側に位置する端部にそれぞれ形成したことを特徴としている。この場合、補給作業時に記録材の両縁部を対角状に持って補給作業を行える。
【０００７】
請求項２記載の発明は、請求項１記載の記録材送り出し装置において、操作部位を、互いに対向するように各サイドフェンスに形成したことを特徴としている。このため、補給作業時に記録材の両縁部の揃った位置を持って補給作業を行える。
【０００９】
請求項３記載の発明は、記録材を積載可能な第１のトレイと、第１のトレイと水平に並列配置可能であって記録材を積載可能な第２のトレイと、第１のトレイに積載された記録材を送り出す給送手段と、第１及び第２のトレイの並列方向と交差する、第２のトレイの記録材幅方向に配置され記録材の両縁部を案内する複数のサイドフェンスとを有する記録材送り出し装置において、一方のサイドフェンスを第２のトレイにおける第１のトレイ寄りの一端側に、この一端と反対側に位置する第２のトレイの他端側との間に間隔を持って配置し、他方のサイドフェンスを第２のトレイの他端側に、第２のトレイの一端側との間に間隔を持って配置したことを特徴としている。各サイドフェンスをトレイの端部から間隔をもって配置すると、トレイの記録材幅方向においてサイドフェンスとトレイの両端側との間に作業空間が形成される。
【００１０】
請求項４記載の発明は、請求項１ないし３の何れか１つに記載の記録材送り出し装置において、各サイドフェンスを同一形状としたことを特徴としている。サイドフェンスを同一形状とすることで、サイドフェンス（部品）の共有化を図れる。
【００１１】
請求項５記載の発明は、画像形成部で記録材に画像転写を行う画像形成装置において、請求項１ないし４の何れか１つに記載の記録材送り出し装置を備え、記録材送り出し装置の給送手段を用いて第１のトレイに積層された記録材を画像形成部に送り出すことを特徴としている。第２のトレイの記録材幅方向に配置されたサイドフェンスに、第２のトレイの積載面に向って低くなる操作部位を設けると、トレイの記録材幅方向に作業空間が形成されるので、第１のトレイと第２のトレイの間隔を狭められる。
【００１２】
【発明の実施の形態】
図面を用いて記録材送り出し装置となる給紙装置と画像形成装置となるカラープリンタについて説明する。画像形成装置としては、プリンタではなく画像読取部を備えた複写機やファクシミリ、あるいはこれらの複合機であってもよい。
【００１３】
図１に示すカラープリンタ２０は、画像形成部１の下方に給紙装置２が設置された構成となっている。画像形成部１は、画像信号に応じて各色ごとの画像を形成する作像装置２１Ｙ，２１Ｍ，２１Ｃ，２１ＢＫと、作像装置２１Ｙ，２１Ｍ，２１Ｃ，２１ＢＫに対向して配置された転写装置２２と、給紙装置２から送り出された記録材としてのシート状の用紙６を作像装置２１Ｙ，２１Ｍ，２１Ｃ，２１ＢＫによる作像のタイミングに合わせて供給するレジストローラ３０と、転写領域において転写後の用紙６の定着を行う定着装置４４とを有している。
【００１４】
画像形成装置２０は、一般にコピー等に用いられる普通紙（以下単に普通紙という）と、ＯＨＰシートや、カード、ハガキといった９０Ｋ紙、坪量約１００ｇ／ｍ２相当以上の厚紙や、封筒等の、用紙よりも熱容量が大きないわゆる特殊シート（以下単に特殊シートという）との何れをも記録材として用いることが可能である。
【００１５】
作像装置２１Ｙ，２１Ｍ，２１Ｃ，２１ＢＫは、それぞれイエロー，マゼンタ，シアン，ブラックの各色の現像を行うものであり、用いるトナーの色が異なるが、その構成はほぼ同様であるから、作像装置２１Ｃの構成を各作像装置の代表として説明する。作像装置２１Ｙは、像担持体としての感光体ドラム２５Ｙ、感光体ドラム２５Ｙの回転方向ａにおいて順に配置されている図示しない周知の帯電装置、現像装置、クリーニング装置等を有し、帯電装置と現像装置との間で図示しない周知のポリゴンミラーを備えた走査手段による露光光２９Ｙを受ける周知の構成である。像担持体はドラム状でなく、ベルト状としてもよい。
【００１６】
転写装置２２は、画像形成装置が図の左右方向において小型になるよう、画像形成部１内に斜めに配設され、矢印ｂで示す記録材搬送方向が右下方から左上方に向って上り傾斜となっている。これによりカラープリンタ２０は、図の左右方向における画像形成部１の幅が、転写装置２２を水平に配設する場合よりも小さくされている。
【００１７】
図１において、符号４３は用紙６の送りを受け継いで搬送する搬送ローラを、符号４５は画像形成部１の上部に形成された排出トレイ２７に向け符号４６で示す開口から装置外部へ用紙６を排出する排出ローラを示している。画像形成部１の右下部に配設された搬送ローラ１９は、給紙装置２から送り出された用紙６の送りを受け継ぐものである。
【００１８】
給紙装置２は、収納部となるカセット３を有し、その内部には、小サイズ用紙によるデッドスペースをなくすために、小サイズ用紙を横方向に並列して収納できるように、第１のトレイ４と第２のトレイ２４とが配設されている。これらトレイは、水平に並列配置可能であって、その積載面４ａ，２４ａに用紙６を積載可能とされている。カセット３は給紙装置２から抜き差し可能な構成であり、使用者が用紙補給をする場合には、これを引き出して行えるようになっている。トレイ２４はカセット３の底部に設けられ、トレイ４は図示いない昇降機能によって上下方向に移動可能に設けられている。
【００１９】
本形態では、積載面４ａ、２４ａに積載された用紙６のことを用紙束６Ａ，６Ｂと示す。図１において、トレイ４ａには用紙束６Ａが、トレイ２４ａには用紙束６Ｂがそれぞれ積載されている。給紙装置２は、トレイ４に積載された用紙束６Ａから順次用紙６を送り出す給送手段６０と、トレイ２４に載置された用紙束６Ｂをトレイ４へ移送してトレイ４に補給する記録材移送手段とを備えている。
【００２０】
給紙手段６０は、トレイ４の右上方に配置されていて、用紙束６Ａの最上位の用紙６に接触する給紙コロ７と、給紙コロ７で送り出された用紙６を１枚に分離する分離コロ８及び搬送ローラ９を備えている。給紙コロ７は、分離コロ８の軸を中心に揺動自在に支持されていて、最上位の用紙６と適度に圧接している。給紙装置２の上部となる給紙手段６０の右上方には、分離された用紙６を画像形成部１の搬送ローラ１９へ受け渡す搬送ローラ１５が配設されている。
【００２１】
給紙コロ７の近傍には、給紙コロ７の位置を検知する位置検知手段としての高さセンサ１０が配置されている。本形態における給紙装置２では、トレイ４に載置される用紙束６Ａの最上位の用紙６の高さが一定となるように、高さセンサ１０からの検知情報を図示しない制御手段で受け、この情報に基づき制御手段で昇降機構の上昇動作を制御している。カセット３の底部には、トレイ４の最下位置を検知する下限検知センサ１２が配置され、このセンサによってトレイ４が検知されると、昇降機構の下降動作が制御手段によって停止される。
【００２２】
符合１１，１３は、積載面４ａ，２４ａ上の用紙束６Ａ，６Ｂ（用紙６）の有無を検知する用紙終了センサを示す。符号１４は、トレイ２４に移動可能に設けられて記録材移送手段の一部を構成する移送フェンス５の初期位置を検知するフェンスセンサを示す。図１において、符合Ａはトレイ４が配置されたカセット３内の第１収納部を、符合Ｂはトレイ２４が配置されたカセット３内の第２収納部をそれぞれ示す。
【００２３】
図３に示すように、トレイ４の、トレイ４，２４の並列方向Ｒと交差する記録材幅方向Ｆには、トレイ４に積載される用紙束６Ａの両縁部を案内するサイドフェンス２６Ａ、２６Ｂが配置されている。トレイ２４の記録材幅方向Ｆには、トレイ２４に積載される用紙束６Ｂの両縁部を案内するサイドフェンス１６Ａ，１６Ｂが配置されている。サイドフェンス２６Ａ，２６Ｂは、図１に示すようにトレイ４の積載面４ａに立設され、サイドフェンス１６Ａ，１６Ｂは、トレイ２４の積載面２４ａに立設されている。図１において各サイドフェンスは、一方側のみを示す。サイドフェンス２６Ａ，２６Ｂは、トレイ２４上用紙束６Ｂがトレイ４に移送されやすいように、トレイ２４側に位置する端部がトレイ２４に向って末広がりとなるように形成されている。
【００２４】
記録材移送手段の構成について図４を用いて説明する。記録材移送手段は、移送フェンス５と、この移送フェンス５の下部を支持する基部３２と、基部３２が一端に装着されたラック３３と、ラック３３を摺動自在に支持するガイド部材３１と、駆動モータ３７と、駆動モータ３７からの駆動力をラック３３に伝達する歯車３８，３５，３６，３４とを備えている。駆動モータ３７は、トレイ４の用紙がなくなりトレイ４が下降位置を占めると、図示しない制御手段によって駆動される。
【００２５】
図５を用いて給紙装置２の動作説明を説明する。なお、図５においては、図面の煩雑化をさせるため、各サイドフェンスの図示を省力している
トレイ４，２４に用紙束６Ａ，６Ｂがセットされると、図５（ａ）に示すように、トレイ４は上昇し、給紙コロ７と接触する給紙位置で停止する。この状態で画像形成動作が実行されると、給送手段６０が機能して用紙束６Ａから用紙６が１枚ずつに分離されて図１に示す画像形成部１に送り出される。用紙６の消費が進み、図５（ｂ）に示すようにトレイ４上の用紙６がないことが用紙終了センサ１１で検知されると、トレイ４は、図５（ｃ）に示すように、下限検知センサ１２で検知されるまで下降し、供給位置ともなる最下位置で停止する。
【００２６】
トレイ４が最下位置を占めると、駆動モータ３７が駆動され、第５図（ｃ）、図５（ｄ）に示すように、移送フェンス５が矢印Ｃで示す供給方向に移動してトレイ２４に積載されている用紙束６Ｂがトレイ４に向って押し出される。このときトレイ４，２４は、略水平状態を占めているので、用紙束６Ｂが積載面４ａに略水平に移動してトレイ４に対する補給が行われる。トレイ４，２４には、それぞれサイドフェンス２６Ａ，２６Ｂとサイドフェンス１６Ａ，１６Ｂが設けられているので、用紙束６Ｂの移動に際し、用紙束６Ｂの両縁部が各フェンスで案内されて移送されるため、トレイ２４からトレイ４への用紙束６Ｂの補給が確実に行える。トレイ４への用紙束６Ｂの押し込み（補給）が完了すると、図５（ｅ）に示すように、移送フェンス５が矢印Ｄ方向に移動してトレイ２４上の初期位置に戻るとともに、トレイ４が給紙位置まで上昇して給送可能状態となる。
（第１形態）
サイドフェンス１６Ａ，１６Ｂの特徴的構成について説明する。
サイドフェンス１６Ａ，１６には、図２に示すように、積載面２４ａに向って低くなる操作部位としての段部２８Ａ，２８Ｂが形成されている。段部２８Ｂは、サイドフェンス１６Ｂの、トレイ４側に位置する端部１６Ｂ１に、段部２８Ａは、サイドフェンス１６Ａの、トレイ４と反対側に位置する端部１６Ａ１にそれぞれ形成され、トレイ２４上に対角状に配設されている。段部２８Ａ，２８Ｂは、サイドフェンス１６Ａ，１６Ｂの下部１６０Ａ、１６０Ｂがトレイ２４上では並列方向Ｒに連続するように形成されている。本形態において、サイドフェンス１６Ａ，１６Ｂは同一形状のものを、１８０度反転させた状態で、トレイ２４上に立設配置している。符合１７は、トレイ２４のトレイ４の端部２６ｂ側に位置する一端２４ｂに設けられた下ガイド板を示す。このガイド板１７は、トレイ４，２４とが並列配置した際に、積載面４ａ，２４ａを連続させる機能を有している。
【００２７】
このような構成の給紙装置２においては、トレイ２４上の記録材幅方向Ｆに配置されたサイドフェンス１６Ａ、１６Ｂに設けた段部２８Ａ，２８Ｂによって、記録材幅方向Ｆに作業空間が形成される。このため、図３に示すように、トレイ４とトレイ２４の間に形成される間隔Ｅを狭めても、トレイ４に対する用紙束６Ｂの補給を良好に行える。段部２８Ａ，２８Ｂが対角状に配置しているので、補給作業時に用紙束６Ｂの両縁部を対角状に持って補給作業を行え、用紙束６Ｂを持つときのバランスよく、より補給作業を良好に行える。サイドフェンス１６Ａ，１６Ｂが同一形状であるので、部品の共通化を図れて部品点数を低減でき、コストダウンとなる。サイドフェンス１６Ａ，１６Ｂの下部１６０Ａ、１６０Ｂがトレイ２４上では並列方向Ｒに連続するので、サイドフェンス１６Ａ，１６Ｂの剛性を保持でき、用紙束６Ｂの移送時の曲がりなどを防止することができる。
（第２形態）
本形態は、図６に示すように、トレイ２４の記録材幅方向Ｆに、サイドフェンス１６Ａ，１６Ｂに代えてサイドフェンス１６Ｃ，１６Ｄを立設配置したものである。サイドフェンス１６Ｃ，１６Ｄには、積載面２４ａに向って低くなる操作部位としての段部２８Ｃ，２８Ｄを形成し、サイドフェンス１６Ｃ，１６Ｄを凹状としている。段部２８Ｃ，２８Ｄは、互いに対向するようにサイドフェンス１６Ｃ，１６Ｄの中央にそれぞれ形成されていて、同一形状とされている。段部２８Ｃ，２８Ｄは、サイドフェンス１６Ｃ，１６Ｄの下部１６０Ｃ、１６０Ｄがトレイ２４上では並列方向Ｒに連続するように形成されている。
【００２８】
このように、段部２８Ｃ，２８Ｄをサイドフェンス１６Ｃ，１６Ｄに形成しても、カセット３の記録材幅方向Ｆに互いに対向して作業空間が形成されるので、図３に示すように間隔Ｅを狭めても用紙束６Ｂの両縁部の揃った位置を持ってトレイ４に対する用紙束６Ｂの補給が行えるため、補給作業を良好に行える。サイドフェンス１６Ａ，１６Ｂを同一形状としているので、部品の共通化を図れて部品点数を低減でき、コストダウンとなる。サイドフェンス１６Ｃ，１６Ｄの下部１６０Ｃ、１６０Ｄがトレイ２４上では並列方向Ｒに連続するので、サイドフェンス１６Ｃ，１６Ｄの剛性を保持でき、用紙束６Ｂの移送時の曲がりなどを防止することができる。
（第３形態）
本形態は、図７に示すように、トレイ２４の記録材幅方向Ｆに、サイドフェンス１６Ａ，１６Ｂに代えてサイドフェンス１６Ｅ，１６Ｆを立設配置したものである。サイドフェンス１６Ｅ，１６Ｆには、積載面２４ａに向って低くなる操作部位としての段部２８Ｅ，２８Ｆを形成している。段部２８Ｅ，２８Ｆは、互いに対向するようにサイドフェンス１６Ｅ，１６Ｆの中央に下向き三角状に形成されていて、同一形状とされている。段部２８Ｅ，２８Ｆは、サイドフェンス１６Ｅ，１６Ｆの下部１６０Ｅ、１６０Ｆがトレイ２４上では並列方向Ｒに連続するように形成されている。
【００２９】
このように、操作部位を三角形の段部２８Ｅ，２８Ｆとしても記録材幅方向Ｆに互いに対向した作業空間が形成されるので、図３に示すように間隔Ｅを狭めてもトレイ４に対する用紙束６Ｂの補給を良好に行える。サイドフェンス１６Ｅ，１６Ｆの下部１６０Ｅ，１６０Ｆがトレイ２４上では並列方向Ｒに連続するので、サイドフェンス１６Ｅ，１６Ｆの剛性を保持でき、用紙束６Ｂの移送時の曲がりなどを防止することができる。
（第４形態）
本形態は、図８に示すように、トレイ２４の記録材幅方向Ｆに、サイドフェンス１６Ａ，１６Ｂに代えてサイドフェンス１６Ｊ，１６Ｋを立設配置したものである。サイドフェンス１６Ｊ，１６Ｋには、積載面２４ａに向って低くなる操作部位としての傾斜面２８Ｇ，２８Ｈを形成している。傾斜面２８Ｇ，２８Ｈは、サイドフェンス１６Ｊ，１６Ｋの上端から下端に向って形成されていて、各サイドファンスをここでは同一形状の三角形としている。
【００３０】
このように、操作部位を傾斜面２８Ｇ，２８Ｈとしても記録材幅方向Ｆに互いに対向して作業空間が形成されるので、図３に示すように間隔Ｅを狭めてもトレイ４に対する用紙束６Ｂの補給を良好に行える。各サイドファンスを同一形状としているので、部品の共通化を図れコストダウンとなる。
（第５形態）
本形態は、図９，図１０に示すように、トレイ２４の記録材幅方向Ｆに、サイドフェンス１６Ａ，１６Ｂに代えてサイドフェンス１６Ｇ，１６Ｈを立設配置したものである。サイドフェンス１６Ｇ，１６Ｈのうち、サイドフェンス１６Ｇは、トレイ２４におけるトレイ４寄りの一端２４ｂ側に、一端２４ｂと反対側に位置するトレイ２４の他端２４ｃとの間に間隔４８Ａを持って配置されている。他方のサイドフェンス１６Ｈは、他端側２４ｃに、一端２４Ａとの間に間隔４８Ｂを持って配置されている。サイドフェンス１６Ｇ，１６Ｈは、同一形状とし、部品の共通化を図っている。
【００３１】
このような構成の給紙装置においても、トレイ２４上の記録材幅方向Ｆに空間４８Ａ、４８Ｂが形成されるので、図９に示すように、トレイ４とトレイ２４の間に形成される間隔Ｅを狭めても、トレイ４に対する用紙束６Ｂの補給を良好に行える。空間４８Ａ，４８Ｂが対角状に配置されるので、補給作業時に用紙束６Ｂの両縁部を対角状に持って補給作業を行え、用紙束６Ｂを持つ時のバランスがよく、より補給作業を良好に行える。サイドフェンス１６Ｇ，１６Ｈが共通化されているのでコストダウンとなる。また、第１〜第４形態のように、作業空間を形成するための操作部位をサイドフェンスに設ける必要がないので、サイドフェンスを加工しなり、特別な形状とする必要がなく低コストとなる
【００３２】
【発明の効果】
本発明によれば、サイドフェンスに設けた操作部位により第２のトレイの記録材幅方向に作業空間が形成されるので、第１のトレイと第２のトレイとの間隔を狭めることができ、装置の小型化を図りながら良好に記録材の補給作業を行える。
【００３３】
本発明によれば、操作部位を互いに対向するように各サイドフェンスに形成することで、補給作業時に記録材の両縁部の揃った位置を持って補給作業を行えるので、補給作業がしやすくなる。
【００３４】
本発明によれば、操作部位を向かい合うサイドフェンスに対角状に設けることで、補給作業時に記録材の両縁部を対角状に持って補給作業を行えるので、記録材を持つ際のバランスが良くなり、より補給作業が向上する。
【００３５】
本発明によれば、各サイドフェンスを第２のトレイの端部から間隔をもって配置すると、記録材幅方向において第２のトレイの両端側との間に作業空間が形成されるので、第１のトレイと第２のトレイとの間隔を狭めることができ、装置の小型化を図りながら良好に記録材の補給作業を行える。
【００３６】
本発明によれば、各サイドフェンスを同一形状とすることで、サイドフェンスの共有化を図れ、低コスト化を図れる。
【図面の簡単な説明】
【図１】本発明の一形態を示す記録材送り出し装置を有する画像形成装置の概略構成図である。
【図２】第２のトレイの第１形態を示す斜視図である。
【図３】図２に示す第２のトレイへの記録材の補給動作を示す拡大平面図である。
【図４】記録材移送手段の構成を示す部分拡大平面図である。
【図５】記録材送り出し装置の送り出し動作と、第１のトレイへの記録材補給動作を示す工程図である。
【図６】第２のトレイの第２形態を示す斜視図である。
【図７】第２のトレイの第３形態を示す斜視図である。
【図８】第２のトレイの第４形態を示す斜視図である。
【図９】第２のトレイの第５形態を示す斜視図である。
【図１０】図９に示す第２のトレイへの記録材の補給動作を示す拡大平面図である。
【符号の説明】
１                                      画像形成部
２                                      記録材送り出し装置
４                                      第１のトレイ
６                                      記録材
１６（Ａ,Ｂ,Ｃ,Ｄ,Ｅ,Ｆ,Ｇ,Ｈ,Ｊ,Ｋ）   サイドフェンス
１６Ａ１，１６Ｂ１                      サイドフェンスの端部
２４                                    第２のトレイ
２４ａ                                  第２のトレイの積載面
２４ｂ                                  第１のトレイ側の端部
２４ｃ                                  反対側の端部
２８Ａ〜２８Ｈ                          操作部位
５０                                    記録材移送手段
６０                                    給送手段
Ｆ                                      記録材幅方向
Ｒ                                      並列方向
【図１】
0003933874.tif 000002
【図２】
0003933874.tif 000003
【図３】
0003933874.tif 000004
【図４】
0003933874.tif 000005
【図５】
0003933874.tif 000006
【図６】
0003933874.tif 000007
【図７】
0003933874.tif 000008
【図８】
0003933874.tif 000009
【図９】
0003933874.tif 000010
【図１０】
0003933874.tif 000011